【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
少なくとも１つのトラックが形成された情報担体にアクセスする情報担体装置であって、
前記情報担体にアクセスするように構成されたヘッドから照射される光ビームがトラックを横断する回数を検出する横断回数検出手段と、
前記横断回数に応じて、前記情報担体の偏芯方向を検出する偏芯方向検出手段と、
前記横断回数と前記偏芯方向とに応じて、前記情報担体の偏芯距離を検出する偏芯距離検出手段と、
前記偏芯方向と前記偏芯距離とに応じて、前記情報担体の偏芯を補正する偏芯補正手段と、を備え、
前記偏芯方向検出手段は、
トラッキングアクチュエータに一定の傾きの信号を印加することにより前記光ビームを前記情報担体の半径方向に移動させるランプ波印加信号生成手段と、
前記ランプ波印加信号生成手段によって前記光ビームが移動する状態で、前記情報担体の回転位相毎に前記横断回数を測定し前記回転位相で微分することによって、回転位相毎の複数の微分値を生成する微分値生成手段と、
前記複数の微分値を取得して比較する微分値比較手段と、を備え、
前記微分値比較手段の比較結果に応じて、前記情報担体の偏芯方向を検出することを特徴とする情報担体装置。
【請求項２】
前記情報担体装置は前記ヘッドの移動によって前記情報担体にアクセスし、
前記ヘッドの移動に応じて、前記ランプ波信号が前記横断回数関係信号に印加される、請求項１に記載の情報担体装置。
【請求項３】
前記微分値比較手段は、
前記複数の微分値に基づいて、前記回転位相の範囲を複数の回転位相の範囲に分割する手段と、
前記複数の回転位相の範囲ごとに前記複数の回転位相の範囲の各々に対応する微分値の総和を算出することによって、複数の総和を生成する手段と
を備え、
前記微分値比較手段は、前記複数の総和を比較した結果に基づいて、前記情報担体の偏芯方向を検出する、請求項１に記載の情報担体装置。
【請求項４】
前記微分値比較手段は、前記複数の総和を比較した結果に基づいて、前記複数の回転位相の範囲のうちの少なくとも１つの範囲に対応する微分値を正負反転する手段をさらに備えた、請求項３に記載の情報担体装置。
【請求項５】
前記微分値比較手段は、前記複数の微分値から前記複数の微分値に含まれる複数の極大値を検出する手段を備え、
前記微分値比較手段は、前記複数の極大値を比較した結果に基づいて、前記情報担体の偏芯方向を検出する、請求項１に記載の情報担体装置。
【請求項６】
前記微分値比較手段は、
前記複数の微分値に基づいて、前記回転位相の範囲を複数の回転位相の範囲に分割する手段と、
前記複数の極大値を比較した結果に基づいて、前記複数の回転位相の範囲のうちの少なくとも１つの範囲に対応する微分値を正負反転する手段と
をさらに備えた、請求項５に記載の情報担体装置。
【請求項７】
前記偏芯方向検出手段は、
前記複数の微分値から前記複数の微分値に含まれる複数の極小値を検出する手段と、
前記複数の極小値に基づいて、前記回転位相の範囲を複数の回転位相の範囲に分割する手段と
を備えた、請求項１に記載の情報担体装置。
【請求項８】
前記偏芯方向検出手段は、
前記複数の微分値から前記複数の微分値に含まれる複数の極大値を検出する手段と、
前記複数の極大値に基づいて、前記回転位相の範囲を複数の回転位相の範囲に分割する手段と
を備えた、請求項１に記載の情報担体装置。
【請求項９】
少なくとも１つのトラックが形成された情報担体にアクセスする情報担体装置であって、
前記情報担体にアクセスするように構成されたヘッドから照射される光ビームがトラックを横断する回数を検出する横断回数検出手段と、
前記横断回数に応じて、前記情報担体の偏芯方向を検出する偏芯方向検出手段と、
前記横断回数と前記偏芯方向とに応じて、前記情報担体の偏芯距離を検出する偏芯距離検出手段と、
前記偏芯方向と前記偏芯距離とに応じて、前記情報担体の偏芯を補正する偏芯補正手段と、を備え、
前記偏芯方向検出手段は、
光ビームを前記情報担体の半径方向に一定の周期で移動させる周期波印加信号生成手段と、
前記周期波印加信号生成手段によって光ビームが移動する状態で、前記情報担体の回転位相毎に前記横断回数を測定し前記回転位相で微分することによって、複数の第１微分値を生成する第１微分値生成手段と、
前記周期波信号生成手段が光ビームを動かす駆動信号を前記回転位相で微分することによって、複数の第２微分値を生成する第２微分値生成手段と、
第１微分値信号の位相と第２微分値信号の位相とを比較する位相比較手段と、を備え
前記位相比較手段の比較結果に応じて、前記情報担体の偏芯方向を検出することを特徴とする情報担体装置。
【請求項１０】
前記周期波印加信号生成手段は、前記横断回数関係信号に正弦波信号を印加することによって、正弦波印加信号を生成する、請求項９に記載の情報担体装置。
【請求項１１】
前記情報担体装置は前記ヘッドの移動によって前記情報担体にアクセスし、
前記ヘッドの移動に応じて、前記周期波信号が前記横断回数関係信号に印加される、請求項９に記載の情報担体装置。
【請求項１２】
前記位相比較手段は、前記第１微分値信号の位相と前記第２微分値信号の位相とを比較した結果に基づいて、前記第１微分値信号の位相のうちの少なくとも一部の位相に対応する第１微分値を正負反転する手段を備え、
前記少なくとも一部の位相と前記第２微分値信号の位相とは逆位相である、請求項９に記載の情報担体装置。
【請求項１３】
少なくとも１つのトラックが形成された情報担体にアクセスする情報担体装置であって、
前記情報担体にアクセスするように構成されたヘッドから照射される光ビームがトラックを横断する回数を検出する横断回数検出手段と、
前記横断回数に応じて、前記情報担体の偏芯方向を検出する偏芯方向検出手段と、
前記横断回数と前記偏芯方向とに応じて、前記情報担体の偏芯距離を検出する偏芯距離検出手段と、
前記偏芯方向と前記偏芯距離とに応じて、前記情報担体の偏芯を補正する偏芯補正手段と、を備え、
前記偏芯方向検出手段は、
第１の期間には、光ビームを前記情報担体の半径方向に第１周期波で移動させ、前記第１の期間とは別の第２の期間には、前記第１の周期波と異なる第２周期波で移動させる周期波印加信号生成手段と、
前記周期波印加信号生成手段によって光ビームが移動する状態で、前記情報担体の回転位相毎に前記横断回数を測定し前記回転位相で微分することによって、複数の微分値を生成する微分値生成手段と、
前記複数の微分値のうち、前記第１の期間に生成された第３の微分値と前記第２の期間に生成された第４の微分値とを比較する微分値比較手段と、備え、
前記微分値比較手段の比較結果に基づいて、前記情報担体の偏芯方向を検出することを特徴とする情報担体装置。
【請求項１４】
前記第１周期波信号は、第１の傾きを有するランプ波を示し、前記第２周期波信号は、前記第１の傾きとは異なる第２の傾きを有するランプ波を示す、請求項１３に記載の情報担体装置。
【請求項１５】
前記第１周期波と前記第２周期波とは連続する、請求項１３に記載の情報担体装置。
【請求項１６】
前記第１の周期と前記第２の周期とは、前記情報担体の回転周期と異なる、請求項１３に記載の情報担体装置。
【請求項１７】
前記第１周期波は、第１の振幅を有する正弦波であり、前記第２周期波は、前記第１の振幅とは異なる第２の振幅を有する正弦波であり、前記第１の周期と前記第２の周期とは、前記情報担体の回転周期に等しい、請求項１３に記載の情報担体装置。
【請求項１８】
前記第１周期波と前記第２周期波とは、ゼロクロス位置で連続する、請求項１７に記載の情報担体装置。
【請求項１９】
前記第１の振幅および前記第２の振幅の一方は、ゼロである、請求項１７に記載の情報担体装置。
【請求項２０】
前記情報担体装置のトラッキング制御が非動作状態から動作状態に遷移する前に、前記偏芯補正手段は前記偏芯を補正する、請求項１に記載の情報担体装置。
【請求項２１】
前記情報担体装置のトラッキング制御が動作状態から非動作状態に遷移した後に、前記偏芯補正手段は前記偏芯を補正する、請求項１に記載の情報担体装置。
【請求項２２】
少なくとも１つのトラックが形成された情報担体のトラックを前記情報担体にアクセスするように構成されたヘッドからの光ビームが横断する回数を検出して偏芯を補正する情報担体補正方法であって、
光ビームを前記情報担体の半径方向の外周方向あるいは内周方向のどちらか一定方向に移動させるステップと、
光ビームが移動する状態で、前記情報担体の回転位相毎に前記横断回数を測定し前記回転位相で微分することによって、回転位相毎の複数の微分値を生成するステップと、
前記複数の微分値を取得して比較するステップと
その比較結果に応じて前記情報担体の偏芯方向を検出するステップと、
前記横断回数と前記偏芯方向とに応じて、前記情報担体の偏芯距離を検出するステップと、
前記偏芯方向と前記偏芯距離とに応じて、前記情報担体の偏芯を補正するステップと
を包含する、情報担体偏芯補正方法。
【請求項２３】
少なくとも１つのトラックが形成された情報担体のトラックを前記情報担体にアクセスするように構成されたヘッドからの光ビームが横断する回数を検出して偏芯を補正する情報担体補正方法であって、
光ビームを前記情報担体の半径方向に一定の周期で移動させるステップと、
光ビームが移動する状態で、前記情報担体の回転位相毎に前記横断回数を測定し前記回転位相で微分することによって、複数の第１微分値を生成するステップと、
光ビームを動かす駆動信号を前記回転位相で微分することによって、複数の第２微分値を生成するステップと、
第１微分値信号の位相と第２微分値信号の位相とを比較するステップと
その比較結果に応じて前記情報担体の偏芯方向を検出するステップと、
前記横断回数と前記偏芯方向とに応じて、前記情報担体の偏芯距離を検出するステップと、
前記偏芯方向と前記偏芯距離とに応じて、前記情報担体の偏芯を補正するステップと
を包含する、情報担体偏芯補正方法。
【請求項２４】
少なくとも１つのトラックが形成された情報担体のトラックを前記情報担体にアクセスするように構成されたヘッドからの光ビームが横断する回数を検出して偏芯を補正する情報担体補正方法であって、
第１の期間には、光ビームを前記情報担体の半径方向に第１周期波で移動させ、前記第１の期間とは別の第２の期間には、前記第１の周期波と異なる第２周期波で移動させるステップを包含し、
光ビームが移動する状態で、前記情報担体の回転位相毎に前記横断回数を測定し前記回転位相で微分することによって、複数の微分値を生成するステップと、
前記複数の微分値のうち、前記第１の期間に生成された第３の微分値と前記第２の期間に生成された第４の微分値とを比較するステップと、
その比較結果に応じて前記情報担体の偏芯方向を検出するステップと、
前記横断回数と前記偏芯方向とに応じて、前記情報担体の偏芯距離を検出するステップと、
前記偏芯方向と前記偏芯距離とに応じて、前記情報担体の偏芯を補正するステップと
を包含し、
前記第３の微分値と前記第４の微分値とを比較した結果に基づいて、前記情報担体の偏芯方向を検出する情報担体偏芯補正方法。